(57)【要約】【課題】臭いの付着面積が大きい熱交換器やエアーフィルタ，クロスフローファン，ケーシングが臭い発生源となっていること。【解決手段】室内熱交換器１１及びエアーフィルタ１７，クロスフローファン１２，ケーシング１３の表面に光触媒処理３５を行い、熱交換器１１とエアーフィルタ１７の全面に第１の光発生ユニット１４から照射できるように、第１の光発生ユニット１４を左右駆動させる駆動装置１５を設けると共に、クロスフローファン１２，ケーシング１３に照射できるように、第２の光発生ユニット１６を設けた。【選択図】図１
2006038355.tif 000002
【特許請求の範囲】
【請求項１】
室内熱交換器と，エアーフィルタ，クロスフローファン，ケーシングから構成される空気調和機の室内機において、前記室内熱交換器と前記エアーフィルタの全面に第１の光（可視光もしくは紫外線）発生ユニットから照射できるように、前記第１の光発生ユニットを駆動させる駆動手段を設けると共に、前記クロスフローファンや前記ケーシングに光を照射できるように第２の光発生ユニットを設けたことを特徴とする空気調和機搭載クリーン装置。
【請求項２】
前記熱交換器及び前記エアーフィルタ，前記クロスフローファン，前記ケーシングに、光触媒処理を設けたことを特徴とする請求項１に記載の空気調和機搭載クリーン装置。
【請求項３】
前記第１の光発生ユニットを前記室内機の前記エアーフィルタの前面に設け、前記エアーフィルタにも光を照射できる構成を設けたことを特徴とする請求項１又は請求項２に記載の空気調和機搭載クリーン装置。
【請求項４】
前記駆動手段を、運転開始時、停止時に動かす第１の制御手段を設けたことを特徴とする請求項１又は請求項２，３に記載の空気調和機搭載クリーン装置。
【請求項５】
臭いのレベルが高い場合に、リモコンの遠隔操作で前記駆動手段を動かす第２の制御手段を設けたことを特徴とする請求項１又は請求項２，３，４に記載の空気調和機搭載クリーン装置。
【発明の詳細な説明】
【技術分野】
【０００１】
本発明は、室内機において光発生ユニットにより熱交換器，エアーフィルタ，クロスフローファン，ケーシングに発生する菌やカビを抑え、脱臭機能を備えた空気調和機搭載クリーン装置に関する。
【背景技術】
【０００２】
従来、空気調和機の室内機の内部に紫外線ランプと光触媒フィルターを取り付け、脱臭効果を得る空気調和機が提案されている。
【０００３】
例えば、室内機の脱臭フィルター部に紫外線を照射する紫外線ランプを設けて脱臭効果を向上させて、居住者の快適性の用に供するものがある（例えば、特許文献１参照）。
【０００４】
一方、特許文献１においても課題として取り上げられているように、光触媒を用いた脱臭運転を続けているうちに、光触媒の性能が低下する欠点が生じていた。このため、定期的に紫外線を脱臭フィルターに照射し、光触媒を励起させ臭気成分を分解し、長期にわたり、脱臭機能を維持できる特徴を持っている。
【０００５】
即ち、光触媒に紫外線が当るとその表面から電子が飛び出し、抜けた穴は正孔（ホール）となり、プラスの電荷を帯び強い酸化力をもち、ＯＨ基をつくり有機物を二酸化炭素や水に分解してしまうことが知られている。
【０００６】
上記空気調和機の室内機から臭いが放散され、ユーザに不快感を与えたりしないように特許文献１では、室内機において、脱臭フィルターに紫外線ランプから紫外線を定期的に照射することにより、脱臭効果の低下を未然に防止している。
【０００７】
このように光触媒仕様の脱臭フィルターの効果を維持させるためには、定期的に紫外線を照射させることが必要である。
【特許文献１】特開平１０−２３８７９９号公報
【発明の開示】
【発明が解決しようとする課題】
【０００８】
しかしながら、前記従来の技術では、次のような課題が発生する可能性がある。
【０００９】
即ち、第一に、室内の臭気が室内機に吸い込まれ、通過する場合にほぼ熱交換器やエアーフィルタ，クロスフローファン，ケーシングに付着するのを少なくするためには、脱臭フィルターの面積を拡大し、通過する空気の臭気を除去しなければならなくなり、紫外線をその脱臭フィルターに照射するためには、等間隔に何本も紫外線ランプを設ける必要があるとともに、脱臭フィルターの面積拡大に伴う通風抵抗の増加による冷房暖房の性能低下や快適性悪化などの悪影響が考えられる。また、複数の紫外線ランプの取り付け構造や落下による割れ防止などに対する対策などのコストアップや室内機のサイズアップなどの課題も大きい。更にランプの寿命にも課題があり複数になればなるほど交換費用などのお客様に負担がかかるなどの課題もある。
【００１０】
そこで本発明は、室内機の送風回路で通風抵抗を増加させずに、脱臭効果を維持できる空気調和機搭載クリーン装置を提供することを目的とする。
【課題を解決するための手段】
【００１１】
請求項１記載の本発明の空気調和機搭載クリーン装置は、室内熱交換器とエアーフィルタ，クロスフローファン，ケーシングから構成される空気調和機の室内機において、前記室内熱交換器と前記エアーフィルタの全面に第１の光（可視光もしくは紫外線）発生ユニットから照射できるように、前記第１の光発生ユニットを駆動させる駆動手段を設けると共に、前記クロスフローファンや前記ケーシングに光を照射できるように第２の光発生ユニットを設けたことを特徴とする。
【００１２】
請求項２記載の本発明は、請求項１に記載の空気調和機搭載クリーン装置において、前記熱交換器及び前記エアーフィルタ，前記クロスフローファン，前記ケーシングに、光触媒処理を設けたことを特徴とする。
【００１３】
請求項３記載の本発明は、請求項１又は請求項２に記載の空気調和機搭載クリーン装置において、前記第１の光発生ユニットを前記室内機の前記エアーフィルタの前面に設け、前記エアーフィルタにも光を照射できる構成を設けたことを特徴とする。
【００１４】
請求項４記載の本発明は、請求項１又は請求項２，３に記載の空気調和機搭載クリーン装置において、前記駆動手段を、運転開始時、停止時に動かす第１の制御手段を設けたことを特徴とする。
【００１５】
請求項５記載の本発明は、請求項１又は請求項２，３，４に記載の空気調和機搭載クリーン装置において、臭いのレベルが高い場合に、リモコンからの遠隔操作で前記駆動手段を動かす第２の制御手段を設けたことを特徴とする。
【発明の効果】
【００１６】
本発明の空気調和機搭載クリーン装置によれば、臭いが付着面積が大きく臭い発生源となっている熱交換器やエアーフィルタ、クロスフローファン及びケーシングに光触媒コーティングを行い、光を全面に照射することにより、脱臭効果が発揮できる。
【発明を実施するための最良の形態】
【００１７】
本発明の第１の実施の形態による空気調和機搭載クリーン装置は、室内熱交換器，エアーフィルタ，クロスフローファン，ケーシングから構成される空気調和機の室内機において、室内熱交換器やエアーフィルタの全面に第１の光（可視光もしくは紫外線）発生ユニットから照射できるように、第１の光発生ユニットを駆動させる駆動手段を設けると共に、クロスフローファンやケーシングに光を照射できるように第２の光発生ユニットを設けたものである。本実施の形態によれば、第１の光発生ユニットを駆動させ、熱交換器やエアーフィルタの全面に照射することができると共に、第２の光発生ユニットからクロスフローファンやケーシングに光を照射できる。
【００１８】
本発明の第２の実施の形態は、第１の実施の形態による空気調和機搭載クリーン装置において、室内熱交換器及びエアーフィルタ，クロスフローファン，ケーシングに、光触媒処理を設けたものである。本実施の形態によれば、熱交換器及びエアーフィルタ，クロスフローファン，ケーシングの表面に光触媒処理を行うことにより、脱臭フィルターを無くし、通風抵抗を増加させずにすむため、冷暖房の性能低下や快適性を損なわずにすむことができる。
【００１９】
本発明の第３の実施の形態は、第１，２に記載の空気調和機搭載クリーン装置において、光発生ユニットを室内機のエアーフィルタの前面に設け、エアーフィルタにも光を照射できる構成を設けたものである。本実施の形態によれば、エアーフィルタに付着した臭いを分解も同時に行うことができ、脱臭効果を更に発揮することができる。
【００２０】
本発明の第４の実施の形態は、第１，２，３の実施の形態による空気調和機搭載クリーン装置において、光発生ユニットの駆動手段により、運転開始時、停止時に熱交換器の光触媒に光を照射させる制御を設けたものである。本実施の形態によれば、運転開始及び停止時に光を熱交換器全面に照射するため、付着した臭いを分解した後に運転を行うことができ、脱臭効果を十分に発揮することができる。
【００２１】
本発明の第５の実施の形態は、第１，２，３，４の実施形態による空気調和機搭載クリーン装置において、臭いのレベルが高い場合に、リモコンの遠隔操作で光発生ユニットの駆動手段により、熱交換器の光触媒に光を照射させる制御を設けたものである。本実施の形態によれば、臭いレベルが高い時に光を熱交換器全面に照射するため、付着した臭いを分解し、運転を継続することができ、脱臭効果を十分に発揮することができる。
【００２２】
以下、本発明の実施の形態による空気調和機搭載クリーン装置について説明する。
【００２３】
（実施の形態１）
図１、２、３は本実施の形態による空気調和装置の室内機の断面図とクリーン装置の構成図である。
【００２４】
図１において、空気調和装置の室内機１０は熱交換器１１、クロスフローファン１２、ケーシング１３，第１の光発生ユニット１４、左右駆動装置１５、第２の光発生ユニット１６、エアーフィルタ１７から構成されている。
【００２５】
図２、３において、空気調和機搭載クリーン装置は、熱交換器１１及びエアーフィルタ１７の全面に光を照射できるようにＬ型形状の光発生用ランプ２１を拡散する反射板２２で構成される第１の光発生ユニット１４と第１の光発生ユニット１４を左右に駆動させる装置１５で構成されている。熱交換器１１は、アルミ素地３１に光触媒層（酸化チタン）３５をコーティングした仕様にしている。
【００２６】
エアーフィルタ１７を樹脂３２に光触媒層（酸化チタン）３５をコーティングした仕様とし、エアーフィルタ１７の外側に第１の光発生ユニット１４と左右駆動装置１５を設け、エアーフィルタ１７及び熱交換器１１に同時に光を照射できるようにしている。また、クロスフローファン１２やケーシング１３に光を照射できるように、第２の光発生ユニット１６を設けている。クロスフローファン１２，ケーシング１３は、樹脂３３、樹脂３４に光触媒層（酸化チタン）３５をコーティングした仕様とし、第２の光発生ユニット１６から光を照射されるように構成している。
【００２７】
図４は空気調和機搭載クリーン装置の動作のフローチャートを表したものである。
【００２８】
リモコンの運転ＳＷがＯＮされた場合に、空調機が動作するのとほぼ同時に第１の光発生ユニットが点灯され、熱交換器１１及びエアーフィルタ１７の全面に照射するため、駆動装置１５により左右往復駆動を行うと同時に、クロスフローファン１２やケーシング１３に照射するために室内熱交換器１１の内側に設けた第２の光発生ユニット１６も点灯し、脱臭効果を発揮する。また、運転の最中に部屋の臭いの発生量が大きく効果が低下したとお客様が感じた場合に対応するため、リモコンに脱臭クリーンのＳＷを設け、そのＳＷが押された場合も同様な動作を行うようにしている。
【００２９】
図５は光（可視光，紫外線）の照射のイメージを表している。
【００３０】
なお、光発生用ランプは寿命や空調機の荷扱いの問題（落下による割れなど）が考えられるため、光ＬＥＤで第１の光発生ユニット１４及び第２の光発生ユニット１６を構成としてもよい。
【産業上の利用可能性】
【００３１】
以上のように、本発明にかかる空気調和機搭載クリーン装置は脱臭効果が発揮できるので、空気調和機等の用途に適用できる。
【図面の簡単な説明】
【００３２】
【図１】本発明の実施の形態１による空気調和機搭載クリーン装置の構成を示す断面図
【図２】本発明の実施の形態１による空気調和機搭載クリーン装置の構成を示す模式図
【図３】本発明の実施の形態１による空気調和機搭載クリーン装置の構成を示す断面図
【図４】本発明の実施の形態１による空気調和機搭載クリーン装置のフローチャート
【図５】本発明の実施の形態１による空気調和機搭載クリーン装置の光照射イメージを表わす模式図
【符号の説明】
【００３３】
１０  室内機
１１  熱交換器
１２  クロスフローファン
１３  ケーシング
１４  第１の光発生ユニット
１５  左右駆動装置
１６  第２の光発生ユニット
１７  エアーフィルタ
２１  光発生用ランプ
２２  反射板
３１  熱交換器のアルミ素地
３２  エアーフィルタの樹脂素地
３３  クロスフローファンの樹脂素地
３４  ケーシングの樹脂素地
３５  光触媒層
【図１】
2006038355.tif 000003
【図２】
2006038355.tif 000004
【図３】
2006038355.tif 000005
【図４】
2006038355.tif 000006
【図５】
2006038355.tif 000007